(57)【要約】【課題】構成レンズ枚数が６枚と少ないレンズ構成の投射用レンズで、諸属性の良好な実現を可能ならしめる。【解決手段】平面画像を拡大して投射結像させる投射用レンズであって、拡大側から順に、負の屈折力を持つ第１レンズＬ１、拡大側に凹面を向けたメニスカス形状の第２レンズＬ２、正の屈折力を持つ第３レンズＬ３、負の屈折力を持つ第４レンズＬ４、正の屈折力を持つ第５レンズＬ５、正の屈折力を持つ第６レンズＬ６を有し、第１レンズＬ１の焦点距離：ｆ１、第３レンズＬ３の焦点距離：ｆ３が、  条件：（１）１＜｜ｆ１｜／ｆ３＜３を満足する。【選択図】                  図１
2006309076.tif 000002
【特許請求の範囲】
【請求項１】
平面画像を拡大して投射結像させる投射用レンズであって、
拡大側から順に、負の屈折力を持つ第１レンズ、拡大側に凹面を向けたメニスカス形状の第２レンズ、正の屈折力を持つ第３レンズ、負の屈折力を持つ第４レンズ、正の屈折力を持つ第５レンズ、正の屈折力を持つ第６レンズを有し、
上記第１レンズの焦点距離：ｆ１、上記第３レンズの焦点距離：ｆ３が、条件：
（１）  １＜｜ｆ１｜／ｆ３＜３
を満足することを特徴とする投射用レンズ。
【請求項２】
請求項１記載の投射用レンズにおいて、
第４レンズと第５レンズが接合されていることを特徴とする投射用レンズ。
【請求項３】
請求項１または２記載の投射用レンズにおいて、
第４レンズに用いられる材質のアッベ数：ν４、第５レンズに用いられる材質のアッベ数：ν５が、条件：
（２）  ν５−ν４≧１３
を満足することを特徴とする投射用レンズ。
【請求項４】
請求項１〜３の任意の１に記載の投射用レンズにおいて、
第２レンズが樹脂材料からなることを特徴とする投射用レンズ。
【請求項５】
請求項１〜４の任意の１に記載の投射用レンズにおいて、
第２レンズが非球面を有することを特徴とする投射用レンズ。
【請求項６】
請求項１〜５の任意の１に記載の投射用レンズにおいて、
第６レンズが非球面を有することを特徴とする投射用レンズ。
【請求項７】
請求項１〜６の任意の１に記載の投射用レンズを搭載したプロジェクタ装置。
【発明の詳細な説明】
【技術分野】
【０００１】
この発明は、液晶パネル等の画像表示用デバイスに表示された平面画像を拡大して投射する投射用レンズおよびこの投射用レンズを用いるプロジェクタ装置に関する。
【背景技術】
【０００２】
液晶パネル上の画像を拡大投射する液晶プロジェクタは、コンピュータのデータ表示や映画の鑑賞用などに用いられ、広く普及している。なかでも、赤表示用、青表示用、緑表示用の液晶パネルを使用する３板式プロジェクタは、画像が高精細であることから多く用いられている。また、近来、マイクロミラーデバイス（ＭＭＤ）上に平面画像を表示する方式のものを提案されつつある。
【０００３】
３板式プロジェクタにおける投射用レンズは、最適なスクリーンサイズを容易に実現できるように、ズーム機能を有するものが一般的であるが、普及型の低価格タイプではズーム機能を省いた固定焦点型が用いられることが多い。
【０００４】
３板式プロジェクタやＭＭＤを用いるプロジェクタ装置に用いられる投射用レンズには、一般に以下のような属性が求められる。  
３枚の液晶パネルや３つのＭＭＤにより強度変調された各光束を、ダイクロイックプリズムやダイクロイックミラーといった色合成手段で合成するために、色合成手段を配備するための空間が必要であり、この空間を確保できるように「焦点距離に比して長いバックフォーカス」を有すること。
【０００５】
プロジェクタとして低電力で高い光利用効率を得ることが望ましく、各色光の光路の合成時に色合成手段に入射する光の角度が画角により異なると、色シェーディングが発生しやすいことから、光源部から投射用レンズに入射する光は光軸に対して平行に近い光束を用いるのが良い。したがって、平行光束を効率良く投射用レンズに取り込めるよう、縮小側、即ち、液晶パネル側においてテレセントリック性を持っていること。
【０００６】
低電力の光源でも明るい画像を提供するため、光源からの光をなるべく多く取り込めるようにＦナンバの小さい、明るいレンズであること。  
スクリーン上で３色を重ね合わせたときに、各色の画素が互いにずれると良好なカラー画像を実現できず、投射画像の辺縁部等に緑、青、赤などの縁が現れて、像質が損なわれてしまうので、倍率の色収差が小さく抑えられていること。  
また、投射された画像の輪郭が歪んで見苦しくならないように、歪曲収差が小さく抑えられていること。画像を忠実に再現するため、高いＭＴＦ特性、解像力特性を備えていること。
【０００７】
このような属性に優れた投射用レンズとして、例えば、特許文献１、２に記載されたものが知られている。
【０００８】
しかし、特許文献１に開示されたものはレンズ８枚構成、特許文献２に開示されたものはレンズ９枚構成と構成レンズ枚数が多いため、コスト低減が難しく、投射用レンズのコンパクト化も難しい。
【０００９】
【特許文献１】特開平９−６１７１１号公報
【特許文献２】特開２０００−３９５５６
【発明の開示】
【発明が解決しようとする課題】
【００１０】
この発明は上述した事情に鑑みてなされたものであって、構成レンズ枚数が６枚と少ないレンズ構成の投射用レンズで、上述の諸属性の良好な実現を可能ならしめることを課題とする。この発明はまた、上記投射用レンズを用いることにより、性能良好なプロジェクタ装置の実現を課題とする。
【課題を解決するための手段】
【００１１】
この発明の投射用レンズは、平面画像を拡大して投射結像させる投射用レンズであって、図１に例示するように、拡大側から順に、負の屈折力を持つ第１レンズＬ１、拡大側に凹面を向けたメニスカス形状の第２レンズＬ２、正の屈折力を持つ第３レンズＬ３、負の屈折力を持つ第４レンズＬ４、正の屈折力を持つ第５レンズＬ５、正の屈折力を持つ第６レンズＬ６を有する。
【００１２】
第１レンズの焦点距離：ｆ１、第３レンズの焦点距離：ｆ３は、条件：
（１）  １＜｜ｆ１｜／ｆ３＜３
を満足する（請求項１）。なお、「平面画像」は一般に、液晶パネル、デジタルミラーデバイス等に表示される画像である。図１において、符号ＰＲは色合成プリズムを示す。
【００１３】
請求項１記載の投射用レンズにおける、第４レンズと第５レンズとは、図１に例示するように接合されていることができる（請求項２）。  
請求項１または２記載の投射用レンズにおける、第４レンズの材質のアッベ数：ν４、第５レンズの材質のアッベ数：ν５は、条件：
（２）  ν５−ν４≧１３
を満足することが好ましい（請求項３）。
【００１４】
請求項１〜３の任意の１に記載の投射用レンズにおける第２レンズは、樹脂材料からなることができる（請求項４）。  
請求項１〜４の任意の１に記載の投射用レンズにおいて、第２レンズは非球面を有することが好ましい（請求項５）。また、請求項１〜５の任意の１に記載の投射用レンズにおいて、第６レンズは非球面を有することが好ましい（請求項６）。
【００１５】
この発明のプロジェクタ装置は、請求項１〜６の任意の１に記載の投射用レンズを搭載したプロジェクタ装置である。
【００１６】
プロジェクタ装置の投射用レンズには、上述の如く「焦点距離に比して長いバックフォーカスを持つ」ことが要求されるため、レンズタイプとしては、拡大側から順に「負・正の屈折力配置となるレトロフォーカス型レンズ」の変形が用いられることが多い。
【００１７】
この発明の投射用レンズは、第１レンズとして負レンズを配し、第２レンズとしてメニスカスレンズ、第２レンズの縮小側に、比較的距離をおいて第３レンズ以降を配置し、レトロフォーカス型を基本とした構成となっている。
【００１８】
投射用レンズの性能を確保する上で「像面湾曲の低減」は重要であるが、像面湾曲の低減の要諦の１つは「第２レンズの向き」であり、第２レンズの凹面を「拡大側に向いた形状」とし、第２レンズの凸面を「縮小側に向いた形状」とすることで、軸上光線が「第２レンズのスクリーン側の面に当たる高さ」に比して「表示デバイス側の面に当たる高さ」を高くしている。  
即ち、負の屈折力を持つ面（第２レンズの拡大側の面）への「光線高さ」を低くし、正の屈折力を持つ面（第２レンズの縮小側の面）への「光線高さ」を高くすることによりペッツバール和を低減し、像面湾曲を小さく抑えることを可能としている。
【００１９】
また、第４レンズに負の屈折力、第５レンズに正の屈折力を配することで、色収差の他に諸収差の補正を有効に行っている。
【００２０】
条件（１）は、長いバックフォーカスを確保しつつ、コマ収差、像面湾曲などを抑え、かつ、レンズが冗長とならないための条件であり、上限を超えると像面が倒れ、また、バックフォーカスを長くすることが困難となる。下限を超えると、バックフォーカスは確保し易くなるが、全長が極端に長くなるか、あるいは「第１レンズの屈折力が大きくなったことによる収差」を補正するのが困難となる。
【００２１】
第４レンズと第５レンズの付近は光束が太く、また、軸外の主光線が比較的高い位置を通過するため、特に「第４レンズの縮小側の面と第５レンズの拡大側の面において大きな収差が発生する傾向」にあるが、請求項２記載のように、これら第４・第５レンズを接合することにより「上記発生する収差の量を大幅に低減する」ことができる。
【００２２】
また、条件（２）は色収差補正の条件であり、下限を超えると軸上色収差および倍率色収差が補正不足になり易く、上限を超えると補正過剰になリ易く、いずれの場合も他のレンズでの補正が困難となる。
【００２３】
また、請求項４に記載の如く、第２レンズの材料を樹脂とし、成型により製造することにより第２レンズを安価なものとすることができ、請求項５に記載のように「第２レンズに非球面を用いて性能の向上を図る場合」に製造を容易にすることができ、請求項６に記載のように「第６レンズに非球面を用いる」ことにより像面湾曲を小さく抑えることができる。
【発明の効果】
【００２４】
この発明の投射用レンズは上記の如き構成により、６枚という少ないレンズ構成でありながらも、後述の各実施例に示すように、ＦＮｏ．１．７程度と明るく、半画角２５°程度と広画角で、プロジェクタ装置用の投射用レンズに要求される性能を十分に満足できるものをコンパクト且つ低コストに実現できる。そして、かかる投射用レンズを搭載することにより性能良好なプロジェクタ装置を実現できる。
【発明を実施するための最良の形態】
【００２５】
発明を実施するための最良な形態として、投射用レンズの具体的な数値実施例を４例挙げる。  
各実施例に用いられている記号の意味は以下のとおりである。
【００２６】
ＩＭＧ：画像表示面
Ｒｉ：拡大側から数えて第ｉ番目の面（絞りや色合成プリズムの面を含む）の曲率半径
Ｄｉ：拡大側から数えて第ｉ番目の面と第ｉ＋１番目の面との軸上面間隔
Ｄｏ：スクリーン側から第１番目のレンズ面までの距離
Ｎｊ：拡大側から数えて第ｊ番目のレンズのｄ線に対する屈折率
νｊ：拡大側から数えて第ｊ番目のレンズのアッベ数
ｊ＝７は色合成プリズムを示す。
【００２７】
各実施例に用いられた非球面の形状は、光軸方向の座標：Ｚ、光軸直交方向の座標：ｈ、軸上曲率半径：Ｒｉ、円錐定数：Ｋ、高次の係数：Ａ、Ｂ、Ｃ、Ｄ、Ｅ、Ｆ、Ｇを用いて周知の非球面式：
Ｚ＝（１／Ｒｉ）・ｈ2／［１＋√｛１−（Ｋ＋１）・（１／Ｒｉ）2・ｈ2｝］
＋Ａ・ｈ4＋Ｂ・ｈ6＋Ｃ・ｈ8＋Ｄ・ｈ10＋E・ｈ12＋F・ｈ14＋ G・ｈ16
で表し、上記Ｒｉ、Ｋ、Ａ、Ｂ、Ｃ、Ｄ、Ｅ、Ｆ、Ｇの値を与えて形状を特定する。  
なお、各実施例とも計算基準波長は５５０ｎｍである。また、長さの次元を持つ量の単位は特に断らない限り「ｍｍ」である。
【実施例１】
【００２８】
ｉ      Ｒ             Ｄ          j         Ｎ         ν
O       ∞          2550.000
1      93.876          2.000       1      1.53172       48.8 
2      24.223         12.000
3     -24.612(*)       8.000       2      1.50966       56.４ 
4     -22.911(*)      15.406
5      20.454          4.500       3      1.78589       43.9  
6      43.434         13.615       
7(絞り)  ∞            8.059
8     -12.443          4.500       4      1.84666       23.8 
9      41.114          6.244       5      1.80420       46.5
10    -18.642          3.398
11     29.409          5.436       6      1.83400       37.3 
12   -212.051(*)       0.400
13     ∞             22.200       7      1.51680       64.2 
14     ∞              6.527
IMG   ∞                                                    
上の表記に於いて「＊印を付した面」が非球面である。他の実施例においても同様である。
【００２９】
非球面
第３面
K =-0.334795   
A = 0.208341E-04 , B =-0.723471E-07 , C = 0.229674E-09 , D =-0.571160E-12
E =-0.676211E-16 , F = 0.0   G = 0.0  
第４面
K =-0.216766   
A = 0.153874E-04 . B =-0.471182E-07 , C = 0.167929E-09 , D =-0.467465E-12
E = 0.342483E-15 , F = 0.0   G = 0.0   
第１２面
K = 0.0
A = 0.795432E-05 , B = 0.379331E-07 , C =-0.620374E-09 , D = 0.386966E-11
E =-0.445992E-14 , F =-0.493914E-16 , G = 0.149933E-18                
上の表記に於いて、例えば「0.149933E-18」は「0.149933×10-18」を意味する。以下においても同様である。
【００３０】
各条件のパラメータの値
条件（１）    １．３７
条件（２）  ２２．７
【実施例２】
【００３１】
ｉ        Ｒ            Ｄ          j         Ｎ            ν
O         ∞       2550.000    
1       73.489        2.000         1       1.51742       52.2  
2       23.825       12.000
3      -18.136(*)     8.000         2       1.50966       56.4  
4      -21.494(*)    10.661
5       22.411        5.164         3       1.77250       49.6 
6       72.686       14.579
7(絞り)   ∞          7.473
8      -12.009        4.102         4       1.84666        23.8 
9      118.123        0.361
10     103.144        6.020         5       1.77250        49.6
11     -17.786        4.365
12      31.182        5.705         6       1.75079        45.4
13     -91.200(*)     0.400
14      ∞           22.200         7       1.51680        64.2
15      ∞            6.527
IMG    ∞                                                。
【００３２】
非球面
第３面
K = -1.121297  
A = 0.249635E-04 , B =-0.618922E-07 , C = 0.237980E-09 , D =-0.602654E-12
E = 0.513161E-15 , F = 0.0 , G = 0.0
第４面
K = -0.782181  
A = 0.184705E-04 , B =-0.422938E-07 , C = 0.197500E-09 , D =-0.543647E-12
E = 0.521784E-15 , F = 0.0 , G = 0.0
第１３面
K = 0.0
A = 0.113430E-04 , B = 0.351042E-07 , C =-0.513318E-09 , D = 0.361255E-11
E =-0.961789E-14 , F =-0.792388E-17 , G = 0.630291E-19                。
【００３３】
各条件のパラメータの値
条件（１）    １．７２
条件（２）  ２５．８
【実施例３】
【００３４】
ｉ        Ｒ           Ｄ          j         Ｎ            ν
O       ∞         2550.000
1      42.269         2.000        1        1.51680       64.2     
2      20.060        10.981
3     -27.410(*)      8.000        2        1.509660      56.4   
4     -30.149(*)      7.255
5      17.074         5.379        3        1.77250       49.6
6      36.739         6.780
7(絞り) ∞            9.258
8     -11.080         4.500        4        1.84666       23.8 
9     103.268         6.194        5        1.77250       49.6 
10    -17.872         0.250
11     31.315         5.682        6        1.83500       43.0   
12    -82.313 (*)     0.400
13     ∞            22.200        7        1.51680       64.2 
14     ∞             6.527
IMG    ∞                                                         。
【００３５】
非球面
第３面
K = -2.422091  
A = 0.341294E-04 , B =-0.857205E-07 , C = 0.134568E-09 , D =-0.210010E-13
E =-0.442130E-15 , F = 0.0 , G =0.0
第４面
K =-1.895649   
A = 0.259388E-04 , B =-0.839587E-07 , C = 0.225764E-09 , D =-0.659845E-12
E = 0.671989E-15 , F = 0.0 , G = 0.0
第１２面
K = 0.0
A = 0.121826E-04 , B = 0.369215E-07 , C =-0.669150E-09 , D = 0.460548E-11
E =-0.800056E-14 , F =-0.495021E-16 , G =0.177350E-18                      。
【００３６】
各条件のパラメータの値
条件（１）    ２．０７
条件（２）  ２５．８
【実施例４】
【００３７】
ｉ        Ｒ           Ｄ          j         Ｎ            ν
O       ∞           2550.000
1     85.316            2.000      1       1.53172        48.8 
2     24.611           12.000
3    -23.494(*)         8.000      2       1.50966        56.4   
4    -22.135(*)        16.474
5     16.899            4.447      3       1.78590        43.9 
6     31.642            8.586
7(絞り) ∞              8.731
8    -12.305            3.697      4       1.84666        23.8 
9     21.097            6.313      5       1.83400        37.3
10   -25.461            2.420
11    31.801            6.148      6       1.83500        43.0 
12   -52.435(*)         0.400
13     ∞              22.200      7       1.51680        64.2 
14     ∞               6.527
IMG   ∞                                                       。
【００３８】
非球面
第３面
K = -0.648434 
A = 0.256877E-04 , B =-0.693789E-07 , C = 0.180951E-09 , D =-0.488421E-12
E = 0.151597E-15 , F = 0.0 , G = 0.0
第４面  
K =-0.396843  
A = 0.202498E-04 , B =-0.534393E-07 , C = 0.195723E-09 , D =-0.604914E-12
E = 0.585232E-15 , F = 0.0 , G = 0.0
第１２面
K = 0.0
A = 0.167396E-04 , B = 0.325546E-07 , C =-0.598547E-09 , D =0.377737E-11
E =-0.521619E-14 , F =-0.439809E-16 , G = 0.141481E-18                    。
【００３９】
各条件のパラメータの値
条件（１）    １．６２
条件（２）  １３．５                                    。
【００４０】
図２に実施例１の投射用レンズの断面図を示す。図３に実施例１の投射用レンズに関する縦収差図、図４に実施例１の投射用レンズに関する横収差図を示す。縦収差を示す図３で、非点収差の図の「Ｓ」は波長：５５０ｎｍでのサジタル像面、「Ｔ」は波長：５５０ｎｍでのタンジェンシャル像面を示す。また、赤・緑・青を表すＲ、Ｇ、Ｂの波長はそれぞれＲ：６２０ｎｍ、Ｇ：５５０ｎｍ、Ｂ：４６０ｎｍとしている。他の実施例においても同様である。
【００４１】
図５に実施例２の投射用レンズの断面図を示す。図６に実施例２の投射用レンズに関する縦収差図、図７に実施例２の投射用レンズに関する横収差図を、それぞれ図３、図４に倣って示す。  
図８に実施例３の投射用レンズの断面図を示す。図９に実施例３の投射用レンズに関する縦収差図、図１０に実施例３の投射用レンズに関する横収差図を、それぞれ図３、図４に倣って示す。  
図１１に実施例４の投射用レンズの断面図を示す。図１２に実施例４の投射用レンズに関する縦収差図、図１３に実施例４の投射用レンズに関する横収差図を、それぞれ図３、図４に倣って示す。
【００４２】
上に挙げた実施例１〜４の投射用レンズは何れも、平面画像を拡大して投射結像させる投射用レンズであって、拡大側から順に、負の屈折力を持つ第１レンズ、拡大側に凹面を向けたメニスカス形状の第２レンズ、正の屈折力を持つ第３レンズ、負の屈折力を持つ第４レンズ、正の屈折力を持つ第５レンズ、正の屈折力を持つ第６レンズを有し、第１レンズの焦点距離：ｆ１、上記第３レンズの焦点距離：ｆ３が、条件： 
（１）  １＜｜ｆ１｜／ｆ３＜３
を満足する（請求項１）。
【００４３】
また、第４レンズと第５レンズが接合され（請求項２）、第４レンズに用いられる材質のアッベ数：ν４、第５レンズに用いられる材質のアッベ数：ν５が、条件：
（２）  ν５−ν４≧１３
を満足する（請求項３）。
【００４４】
また、第２レンズが樹脂材料からなり（請求項４）、第２レンズは非球面を有し（請求項５）、第６レンズも非球面を有する（請求項６）。
【００４５】
従って、光源の光を画像表示用デバイスに通過させ、平面画像の画像情報を持たされた光をスクリーン上に拡大投射する公知のプロジェクタ装置に、投射用レンズとして上記実施例１〜４の適宜のものを搭載することによりコンパクトでありながら高精細な画像を表示することが可能である（請求項７）。
【図面の簡単な説明】
【００４６】
【図１】この発明の投射用レンズの断面図である。
【図２】実施例１の投射用レンズの断面図である。
【図３】実施例１の投射用レンズの縦収差図である。
【図４】実施例１の投射用レンズの横収差図である。
【図５】実施例２の投射用レンズの断面図である。
【図６】実施例２の投射用レンズの縦収差図である。
【図７】実施例２の投射用レンズの横収差図である。
【図８】実施例３の投射用レンズの断面図である。
【図９】実施例３の投射用レンズの縦収差図である。
【図１０】実施例３の投射用レンズの横収差図である。
【図１１】実施例４の投射用レンズの断面図である。
【図１２】実施例４の投射用レンズの縦収差図である。
【図１３】実施例４の投射用レンズの横収差図である。
【符号の説明】
【００４７】
Ｌ１    第１レンズ
Ｌ２    第２レンズ
Ｌ３    第３レンズ
Ｌ４    第４レンズ
Ｌ５    第５レンズ
Ｌ６    第６レンズ
ＰＲ    色合成プリズム
【図１】
2006309076.tif 000003
【図２】
2006309076.tif 000004
【図３】
2006309076.tif 000005
【図４】
2006309076.tif 000006
【図５】
2006309076.tif 000007
【図６】
2006309076.tif 000008
【図７】
2006309076.tif 000009
【図８】
2006309076.tif 000010
【図９】
2006309076.tif 000011
【図１０】
2006309076.tif 000012
【図１１】
2006309076.tif 000013
【図１２】
2006309076.tif 000014
【図１３】
2006309076.tif 000015